(57)【要約】【課題】可動床の高さ位置を、１つの簡易な手段で容易、かつ、正確に検出することができる、構成が簡易で、この種の装置の大幅なコストダウンを図ることができるプール可動床装置を提供する。【解決手段】可動床と、可動床を昇降させる可動床駆動装置と、該可動床の昇降位置を検出する位置検出装置を備えたプール可動床装置において、上記位置検出装置は、上記可動床駆動装置の駆動軸の回転を介して従動する回転ディスクと、該回転ディスクに所要間隔毎に開設された複数の透孔と、該透孔に光を照射する手段と、上記透光を通過した光を受信する手段と、を有して構成され、受光された光信号の数で、可動床の昇降位置を検出するように構成した。【選択図】図１
2006336201.tif 000002
【特許請求の範囲】
【請求項１】
可動床と、可動床を昇降させる可動床駆動装置と、該可動床の昇降位置を検出する位置検出装置を備えたプール可動床装置において、上記位置検出装置は、上記可動床駆動装置の駆動軸の回転を介して従動する回転ディスクと、該回転ディスクに所要間隔毎に開設された複数の透孔と、該透孔に光を照射する手段と、上記透光を通過した光を受信する手段と、を有して構成され、受光された光信号の数で、可動床の昇降位置を検出するように構成したことを特徴とするプール可動床装置。
【請求項２】
前記回転ディスクの透孔には、孔埋め部材を着脱自在に装着可能とし、可動床の昇降高さに対応させて、透孔数を選択可能としたことを特徴とする請求項１に記載のプール可動床装置。
【発明の詳細な説明】
【技術分野】
【０００１】
この発明は、プールの固定床とは別に昇降可能な可動床を設けてなるプール可動床装置に係り、特に、可動床の昇降高さ位置を簡易な手段で検出することができるプール可動床装置に関する。
【背景技術】
【０００２】
従来、プール自体の固定床とは別に昇降可能な可動床を設け、遊泳や水中歩行運動など、使用目的に合わせて可動床によって水深調整を行う可動床を有するプールが知られていた。
【０００３】
一般的に可動床は、内部に空洞が形成されており、その浮力を利用することで可動床の昇降駆動力を小さくすることができる。
【０００４】
このような可動床を有するプールの場合、使用目的に対応させて可動床の高さ位置を知り、制御することが必要となるが、このような可動床の高さ位置を検知する技術としては、例えば、特許文献１に示すものが知られている。
【０００５】
この特許文献１に示す技術は、エンコーダを用いて可動床の高さ位置を検出するものである。
【０００６】
【特許文献１】特開平７−２６７６０号公報
【０００７】
現在では、この特許文献１に示されているようなエンコーダと組み合わせた図３乃至図５に示す可動床高さ位置検出装置が多く用いられている。
【０００８】
この従来の可動床高さ位置検出装置は、可動床駆動用モータ１の回転軸２の回転力を、該回転軸２と平行に配設された従動軸３に減速させて伝達し、該従動軸３の回転をエンコーダ４で検出すると共に、該従動軸３の回転力を、スクリューシャフト５へと伝え、該スクリューシャフト５の正逆回転により、該スクリューシャフト５に螺装されたセンサー体６が左右に移動するように構成されており、該センサー体６が上限検出用スイッチ７或は下限検出用スイッチ８と接触することで、可動床の昇降移動を検出し制御するように構成されている。尚、エンコーダ４は、可動床の上限位置から下限位置の間における位置を検出するように構成されている。
【発明の開示】
【発明が解決しようとする課題】
【０００９】
しかしながら、上記従来の可動床高さ位置検出装置にあっては、可動床の高さ位置を、スクリューシャフト５と上下限スイッチ７，８及びエンコーダ４という２つの異なる機構によって検出する構成であるため、装置が複雑でコスト高となり、しかも、スクリューシャフト５の長さは可動床の移動距離に対応させて設定しなければならないため、水深が大きくなるほどスクリューシャフト５の長さを長くしなければならず、装置が大型化する、という問題を有していた。
【００１０】
この発明は、かかる現状に鑑み創案されたものであって、その目的とするところは、可動床の高さ位置を、１つの簡易な手段で容易、かつ、正確に検出することができる、構成が簡易で、この種の装置の大幅なコストダウンを図ることができるプール可動床装置を提供しようとするものである。
【課題を解決するための手段】
【００１１】
上記目的を達成するため、請求項１に記載の発明にあっては、可動床と、可動床を昇降させる可動床駆動装置と、該可動床の昇降位置を検出する位置検出装置を備えたプール可動床装置において、上記位置検出装置は、上記可動床駆動装置の駆動軸の回転を介して従動する回転ディスクと、該回転ディスクに所要間隔毎に開設された複数の透孔と、該透孔に光を照射する手段と、上記透光を通過した光を受信する手段と、を有して構成され、受光された光信号の数で、可動床の昇降位置を検出するように構成したことを特徴とする。
【００１２】
また、請求項２に記載の発明にあっては、請求項１に記載のプール可動床装置を技術的前提とし、前記回転ディスクの透孔には、孔埋め部材を着脱自在に装着可能とし、可動床の昇降高さに対応させて、透孔数を選択可能としたことを特徴とする。
【発明の効果】
【００１３】
請求項１に記載の発明にあっては、可動床と、可動床を昇降させる可動床駆動装置と、該可動床の昇降位置を検出する位置検出装置を備えたプール可動床装置において、上記位置検出装置は、上記可動床駆動装置の駆動軸の回転を介して従動する回転ディスクと、該回転ディスクに所要間隔毎に開設された複数の透孔と、該透孔に光を照射する手段と、上記透光を通過した光を受信する手段と、を有して構成され、受光された光信号の数で、可動床の昇降位置を検出するように構成したので、従来の装置のようなエンコーダとスクリューシャフトといった２つの検出手段で装置を構成する必要がなくなり、１つの手段で容易、かつ正確に可動床の高さ位置を検出することができ、しかも、構成が簡易なので、小型化及び大幅なコストダウンを図ることができる。
【００１４】
請求項２に記載の発明にあっては、前記回転ディスクの透孔には、孔埋め部材を着脱自在に装着可能とし、可動床の昇降高さに対応させて、透孔数を選択可能としたので、透孔数を孔埋めすることで、１つの回転ディスクで、可動床の昇降距離に対応させることができ、可動床が設置されるプールの水深に対応させた回転ディスクを専用に用意する必要がなくなり、回転ディスクの歩留りが良好となり、さらなるコストダウンを図ることができる、という優れた効果が得られる。
【発明を実施するための最良の形態】
【００１５】
以下、添付図面に示す発明の実施例に基づき、この発明を詳細に説明する。尚、この発明が適用される可動床は、従来の空気密封方式の可動床の構造と同様であり、また、この可動床を駆動する装置は、モータを利用したパンタグラフ方式或はチェーンベルト方式等の公知の各種可動床装置を適用することができるので、この明細書では、その詳細な説明をここでは省略する。
【００１６】
図１は、このような可動床の昇降高さ位置を検出する回転ディスク１０の構成を示しており、図２は、この回転ディスク１０を用いた検出例を示している。
【００１７】
この回転ディスク１０は、例えば、図３に示す可動床駆動用モータ１の回転軸２の回転力を、該回転軸２と平行に配設された従動軸３（のエンコーダ４が取り付けられていた位置）に取り付けられている。
【００１８】
この回転ディスク１０は、上記従動軸３の外周面にフランジ状に固定され、可動床の昇降動に伴う従動軸３の回転に応じて回転される。そして、複数の透孔１１は、回転ディスク１０上においてその同軸円周上に等間隔に複数個貫通形成されている。
【００１９】
前記従動軸３の回転、つまり、可動床の昇降動に応じて回転ディスク１０が回転される。この時、フォトインタラプタ１２の発光ダイオード１３が発する光は、透孔１１を通過するか若しくは同透孔１１間のディスク面１６により遮断される。そして、この光の通過若しくは遮断に基づいて、図２に示すように、フォトインタラプタ１２のフォトダイオード１３が出力するパルスをカウントすることにより、ある位置からの従動軸３の回転角、つまり、可動床の昇降移動量が検出される。尚、図中符号１４は、受光素子である。勿論、この発明にあっては、フォトインタラプタ１２のフォトダイオードに代えて、公知のレーザ光の照射手段と受光手段を用いて構成してもよい。また、回転ディスク１０を可動床駆動用モータ１の回転軸２自体に取り付けてもよい。
【００２０】
尚、この実施例では、上記複数の透孔１１を回転ディスク１０の円周上に直列に開設し、必要に応じてゴム栓等の孔埋め部材１５を着脱自在に構成している。
【００２１】
これは、可動床の昇降高さ（移動距離）は、同可動床が設置されるプールの水深が様々で一定ではないことから、回転ディスク１０の大きさや透孔１１の開設間隔がまちまちとなり、専用の回転ディスクを用意しなければならないが、この発明のように、透孔１１にゴム栓等の孔埋め部材１５を着脱自在とすることで、１つの回転ディスク１０で、複数の可動床の異なる昇降距離に対応させることができ、可動床が設置されるプールの水深に対応させた回転ディスクを専用に用意する必要がなくなり、回転ディスクの歩留りが良好となり、また、装置が大型化する心配もないので、さらなるコストダウンを図ることができる。
【００２２】
尚、可動床の上限位置と下限位置は、孔埋め部材１５で孔埋めされた透孔１１間の両端部、即ち、パルス数で検出することができるので、従来のようなリミットスイッチや近接スイッチの必要性がなくなり、部品点数を大幅に削減でき、より効果的なコストダウンを図ることができる。
【図面の簡単な説明】
【００２３】
【図１】この発明に係るプール可動床の高さ位置の検出に用いられる回転ディスクの一例を示す説明図である。
【図２】同回転ディスクによる検出原理を示す説明図である。
【図３】従来のプール可動床の高さ位置の検出装置を示す平面説明図である。
【図４】同従来の検出装置の要部の構成を示す平面図である。
【図５】同従来の検出装置の要部の構成を示す平面図である。
【符号の説明】
【００２４】
１０  回転ディスク
１１  透孔
１３  発光ダイオード
１４  受光素子
１５  孔埋め部材
【図１】
2006336201.tif 000003
【図２】
2006336201.tif 000004
【図３】
2006336201.tif 000005
【図４】
2006336201.tif 000006
【図５】
2006336201.tif 000007